(57)【要約】【課題】ワークとショットとを適切に分離することができるショット分離装置を提供する。【解決手段】同軸状に配置した略円筒形状の内ドラム１ｂと外ドラム１ａにて構成された二重ドラム１を用いる。内ドラム１ｂには、ショット５の径よりも大きく且つワーク４よりも小さな径の複数の貫通孔１１、またはショット５の径よりも大きな幅且つワーク４よりも小さな幅の複数のスリット、が形成されており、内ドラム１ｂの外壁と外ドラム１ａの内壁との間において、外ドラム１ａの内壁には、ワーク４から分離したショット５をショット排出口１４の方向に移動させる外側リード部材２が設けられており、内ドラム１ｂの内壁には、内ドラム１ｂ内に投入されたワーク４を攪拌するとともに当該ワーク４をワーク排出口１３の方向に移動させる内側リード部材３が設けられている。【選択図】図１
0003154923.tif 000002
【実用新案登録請求の範囲】
【請求項１】
ショットブラストしたワークから、ショットを分離するショット分離装置において、
同軸状に配置した略円筒形状の内ドラムと外ドラムにて構成された二重ドラムと、
前記二重ドラムをドラム回転軸回りに回転可能に支持する基台と、
前記二重ドラムを前記ドラム回転軸回りに回転させる回転駆動手段と、
前記内ドラムにおける前記ドラム回転軸方向の一方の端部に設けられたワーク投入口と、
前記内ドラムにおける前記ドラム回転軸方向の他方の端部に設けられたワーク排出口と、
前記外ドラムにおける前記ドラム回転軸方向のいずれか一方の端部に設けられたショット排出口と、を備え、
前記内ドラムには、前記ショットの径よりも大きく且つ前記ワークよりも小さな径の複数の貫通孔、または前記ショットの径よりも大きな幅且つ前記ワークよりも小さな幅の複数のスリット、が形成されており、
前記内ドラムの外壁と前記外ドラムの内壁との間において、前記外ドラムの内壁には、前記ワークから分離したショットを前記ショット排出口の方向に移動させる外側リード部材が設けられており、
前記内ドラムの内壁には、内ドラム内に投入されたワークを攪拌するとともに当該ワークを前記ワーク排出口の方向に移動させる内側リード部材が設けられている、
ショット分離装置。
【請求項２】
ショットブラストしたワークから、ショットを分離するショット分離装置において、
同軸状に配置した略円筒形状の内ドラムと外ドラムにて構成された二重ドラムと、
前記二重ドラムをドラム回転軸回りに回転可能に支持する基台と、
前記二重ドラムを前記ドラム回転軸回りに回転させる回転駆動手段と、
前記内ドラムにおける前記ドラム回転軸方向の一方の端部に設けられたワーク投入口と、
前記内ドラムにおける前記ドラム回転軸方向の他方の端部に設けられたワーク排出口と、
前記外ドラムにおける前記ドラム回転軸方向のいずれか一方の端部に設けられたショット排出口と、を備え、
前記内ドラムには、前記ショットの径よりも大きく且つ前記ワークよりも小さな径の複数の貫通孔、または前記ショットの径よりも大きな幅且つ前記ワークよりも小さな幅の複数のスリット、が形成されており、
前記内ドラムの外壁と前記外ドラムの内壁との間において、前記外ドラムの内壁には、前記ワークから分離したショットを前記ショット排出口の方向に移動させる外側リード部材が設けられており、
前記内ドラムの底部における前記ワーク投入口の側よりも前記ワーク排出口の側のほうが低くなるように前記ドラム回転軸の方向が設定されている、
あるいは、前記ドラム回転軸は水平方向に設定されており、前記内ドラムの底部における前記ワーク投入口の側よりも前記ワーク排出口の側のほうが低くなるように前記内ドラムが円錐状に形成されている、
ショット分離装置。
【考案の詳細な説明】
【技術分野】
【０００１】
本考案は、ショットブラストされたワークと、当該ワークに混在または付着したショットと、を分離するショット分離装置に関する。
【背景技術】
【０００２】
従来、ショットブラストされたワークは、そのまま製品パレットに直接受ける方式や、搬送コンベア等にてワーク排出口まで搬送する方式にて製品パレットに収容される。ワーク排出口まで搬送する方式では、ワーク排出口まで搬送する間でワークとショットとを分離し、分離したショットを回収している。
ショットブラストした後は、ワークとショットとを適切に分離しなければ、後工程で機械加工等がある場合、ワークに混入や付着したショットが原因となり、機械加工設備や治工具のトラブルを発生させる可能性がある。
例えば特許文献１に記載された従来技術には、外ドラムの内部で、搬送用スクリューが設けられた内ドラムを回転させてショットとダストとを分離するショットブラストのダスト分離装置が開示されている。このダスト分離装置では、回転する内ドラムの一方の端部の投入口からダストを含んだショットを投入し、搬送用スクリューにて他方の端部の排出口にショットを搬送して取り出すとともに、排出口の方向から投入口の方向に向けて加圧空気を供給して投入口の側からダストを吹き出して、ショットとダストとを分離している。
【先行技術文献】
【特許文献】
【０００３】
【特許文献１】特開平１０−１０９２６９号公報
【考案の概要】
【考案が解決しようとする課題】
【０００４】
特許文献１に記載された従来技術では、加圧空気を用いてショットより軽量のダストをショットから分離している（吹き飛ばしている）が、ダストと比較してショットの質量は非常に大きく、加圧空気を用いてワークからショットを吹き飛ばすのは非常に困難であり、ワークからショットを分離する装置には適していない。
本考案は、このような点に鑑みて創案されたものであり、ワークとショットとを適切に分離することができるショット分離装置を提供することを課題とする。
【課題を解決するための手段】
【０００５】
上記課題を解決するための手段として、本考案は、ショットブラストしたワークから、ショットを分離するショット分離装置において、同軸状に配置した略円筒形状の内ドラムと外ドラムにて構成された二重ドラムと、前記二重ドラムをドラム回転軸回りに回転可能に支持する基台と、前記二重ドラムを前記ドラム回転軸回りに回転させる回転駆動手段と、前記内ドラムにおける前記ドラム回転軸方向の一方の端部に設けられたワーク投入口と、前記内ドラムにおける前記ドラム回転軸方向の他方の端部に設けられたワーク排出口と、前記外ドラムにおける前記ドラム回転軸方向のいずれか一方の端部に設けられたショット排出口と、を備えている。
そして、前記内ドラムには、前記ショットの径よりも大きく且つ前記ワークよりも小さな径の複数の貫通孔、または前記ショットの径よりも大きな幅且つ前記ワークよりも小さな幅の複数のスリット、が形成されており、前記内ドラムの外壁と前記外ドラムの内壁との間において、前記外ドラムの内壁には、前記ワークから分離したショットを前記ショット排出口の方向に移動させる外側リード部材が設けられており、前記内ドラムの内壁には、内ドラム内に投入されたワークを攪拌するとともに当該ワークを前記ワーク排出口の方向に移動させる内側リード部材が設けられている。
【０００６】
また、内側リード部材を設ける代わりに、前記内ドラムの底部における前記ワーク投入口の側よりも前記ワーク排出口の側のほうが低くなるように前記ドラム回転軸の方向が設定されている。あるいは、前記内ドラムの底部における前記ワーク投入口の側よりも前記ワーク排出口の側のほうが低くなるように前記内ドラムが円錐状に形成されている。
【考案の効果】
【０００７】
本考案によれば、加圧空気を用いることなく、比較的重量があるがワークより小径であるショットを、内ドラムの貫通孔またはスリットから、内ドラムと外ドラムとの間の空間に落下させることで、ワークとショットとを適切に分離することができる。
また、内側リード部材にてワークを攪拌しながら（振動、衝突させて付着したショットを取り除きながら）ワーク排出口へと適切に搬送することで、ワークとショットとを適切に分離することができる。
また、分離したショットを外側リード部材にてショット排出口へと適切に搬送することができる。
【０００８】
また、内ドラムの底部が、ワーク投入口の側よりもワーク排出口の側の方が低くなるように、ドラム回転軸の方向、あるいは内ドラムの形状（円錐状）を適切に設定することで、ショットよりも重量のあるワークを、適切にワーク排出口へと搬送することができる。
【図面の簡単な説明】
【０００９】
【図１】本考案のショット分離装置Ｓの一実施の形態における正面図（断面図）である。
【図２】図１に示すショット分離装置ＳのＡ−Ａ断面図である。
【考案を実施するための形態】
【００１０】
以下に、本考案を実施するための実施の形態を図面を用いて説明するが、本実施の形態で説明した形状や構成等に限定されず、本考案の要旨を逸脱しない範囲で種々の変更が可能であることはいうまでもない。
【００１１】
●［ショット分離装置Ｓの全体構造（図１、図２）］
図１は、本考案のショット分離装置Ｓの正面図の例を示している。なお、図１はドラム回転軸ＤＺを通る垂直面にて切断した断面図の例を示している。
また図２は、図１におけるＡ−Ａ断面図の例を示している。
ショット分離装置Ｓは、ドラム回転軸ＤＺに対して同軸状に配置した略円筒形状の外ドラム１ａと内ドラム１ｂにて構成された二重ドラム１と、基台１２と、回転駆動手段９（電動モータ等）と、ワーク投入口６と、ワーク排出口１３と、ショット排出口１４とを備えている。なお、内ドラム１ｂは固定板１０にて外ドラム１ａと連結されている。
【００１２】
基台１２は、二重ドラム１をドラム回転軸ＤＺ回りに回転可能に支持しており、基台１２に設けられた回転駆動手段９は、基台１２に対して二重ドラム１をドラム回転軸ＤＺ回りに回転させる。
ワーク投入口６は、内ドラム１ｂにおけるドラム回転軸ＤＺ方向の一方の端部（図１の例では内ドラム１ｂの右端部）に設けられており、ショット５が混在または付着したワーク４（鍛造品等）が投入される。投入されたワーク４及びショット５は、内ドラム１ｂ内へと落下する。
ワーク排出口１３は、内ドラム１ｂにおけるドラム回転軸ＤＺ方向の他方の端部（図１の例では内ドラム１ｂの左端部）に設けられており、ショット５が分離したワーク４が排出される。
ショット排出口１４は、外ドラム１ａにおけるドラム回転軸ＤＺ方向のいずれか一方の端部（図１の例では外ドラム１ａの左端部）に設けられており、ワーク４から分離したショット５が排出される。
【００１３】
内ドラムには、ワーク４とショット５とを分離するために、ショット５の径よりも大きな径且つワーク４よりも小さな径の複数の貫通孔１１、またはショット５の径よりも大きな幅且つワーク４よりも小さな幅のスリット（図示省略）が形成されている。これにより、ショット５は、当該貫通孔１１またはスリットを通過して内ドラム１ｂの外壁と外ドラム１ａの内壁との間の空間に落下する。外ドラム１ａの内壁には、ワーク４から分離したショット５をショット排出口１４の方向に移動させる外側リード部材２が設けられている。例えば図２において二重ドラム１が時計方向に回転する場合、外側リード部材２は、左ネジの螺旋状の板部材であり、分離されたショット５を図１に示すショット排出口１４の方向に移動させる（搬送する）。なお、ショット排出口１４がワーク投入口６の側の端部に設けられている場合は、外側リード部材２を右ネジの螺旋状の板部材にすればよい。
【００１４】
例えば、ドラム回転軸ＤＺが水平方向であり、且つ内ドラム１ｂが円錐形状でなく円筒形状である場合、内ドラム１ｂの内壁に、内ドラム１ｂの内部に投入されたワーク４を攪拌するとともにワーク４をワーク排出口１３の方向に移動させる内側リード部材３を設ける。この場合、内側リード部材３は、図１に示すようにドラム回転軸ＤＺに対して傾斜角θ１を有するように内ドラム１ｂの内壁に取り付けられた複数の板部材や、螺旋状の板部材等である。この傾斜角θ１や螺旋により、ワーク４をワーク排出口１３の方向に移動させる（搬送する）。
【００１５】
また、例えば、ドラム回転軸ＤＺが水平方向であり、且つ内ドラム１ｂが円錐形状である場合、内側リード部材３は省略してもよい。この場合、図１に示すように、内ドラム１ｂの底部におけるワーク投入口６の側よりもワーク排出口１３の側のほうが低くなるように、内ドラム１ｂの円錐形状が設定されている。もちろん、内ドラム１ｂの内壁に、ワーク４を攪拌するとともにワーク排出口１３へと搬送する傾斜角θ１に設定した内側リード部材３を設けてもよいし、ワーク４を攪拌するための傾斜角θ１がゼロ度の内側リード部材を設けてもよい（ワーク４の搬送は円錐形状にて実現しているため）。
【００１６】
また、例えば、内ドラム１ｂの形状（円筒形状または円錐形状等）にかかわらず、内ドラム１ｂの底部におけるワーク投入口６の側よりもワーク排出口１３の側のほうが低くなるように、ドラム回転軸ＤＺを水平方向に対して傾斜させて設定する。この場合も、内ドラム１ｂの内壁に、ワーク４を攪拌するとともにワーク排出口１３へと搬送する傾斜角θ１に設定した内側リード部材３を設けてもよいし、ワーク４を攪拌するための傾斜角θ１がゼロ度の内側リード部材を設けてもよい（ワーク４の搬送はドラム回転軸ＤＺを傾斜させることで実現しているため）。
【００１７】
ワーク排出口１３に搬送されたワーク４は、ワーク投入口６からワーク排出口１３までの搬送によってショット５が充分に分離され、パレット７に回収される。
また、ショット排出口１４に搬送されたショット５は、スクリュコンベア８によって搬送されてショットブラスト装置（図示省略）に戻される。
【００１８】
内ドラム１ｂにワーク４を攪拌するための内側リード部材を設けることで、ワーク４に振動を与えたり、ワーク同士を衝突させたりして、より適切にショット５を分離することができる。
なお、回転駆動手段９は、二重ドラム１を連続回転させるが、投入されるワーク４のサイズがさまざまな大きさである場合、内ドラム１ｂの内部で詰まりや滞留が発生する可能性がある。その場合は二重ドラム１の回転速度を可変制御して詰まりや滞留を回避する。
【００１９】
本考案のショット分離装置Ｓは、本実施の形態で説明した構造、外観等に限定されず、本考案の要旨を変更しない範囲で種々の変更、追加、削除が可能である。
また、本実施の形態では、外ドラム１ａが円筒形状の例を説明したが、外ドラム１ａを円錐形状にして底部が低い側の端部にショット排出口１４を設け、外側リード部材２を省略してもよい。
【符号の説明】
【００２０】
１      二重ドラム
１ａ    外ドラム
１ｂ    内ドラム
２      外側リード部材
３      内側リード部材
４      ワーク
５      ショット
６      ワーク投入口
７      パレット
８      スクリュコンベア
９      回転駆動手段
１０    固定板
１１    貫通孔
１２    基台
１３    ワーク排出口
１４    ショット排出口
ＤＺ    ドラム回転軸
Ｓ      ショット分離装置
【図１】
0003154923.tif 000003
【図２】
0003154923.tif 000004